(57)【特許請求の範囲】
【請求項１】
表面側に位置した上層ラベルと、この上層ラベルの下に積層された下層ラベルとを備え、
上記上層ラベルと上記下層ラベルは、薬剤名が記載された薄いシート状のラベル基材から成り、
上記上層ラベルのラベル基材と上記下層ラベルのラベル基材は等しい形状に形成され、
上記上層ラベルの上記ラベル基材の下面には全面に粘着層が形成され、
上記各ラベル基材には、剥離する際に指をかけるつまみ部が形成され、
上記下層ラベル用のラベル基材には、上記つまみ部と上記下層ラベルとなる部分とを区切る切り込みが形成され、
上記下層ラベル用のラベル基材の、上記下層ラベルとなる部分の表面側には剥離層が形成されているとともに、裏面側には粘着層が形成され、上記つまみ部となる部分の表裏には剥離層及び粘着層が形成されず、
上記下層ラベル用のラベル基材の上記つまみ部となる部分の表面が、上記上層ラベルの上記つまみ部の上記粘着層に付着し、
上記上層ラベルを剥離する際に、上記上層ラベルの上記つまみ部とともに上記下層ラベル用のラベル基材の上記つまみ部が保持されて、上記上層ラベルとともに剥離され、
上記下層ラベルは、上記つまみ部の上記ラベル基材が上記切り込みで分離除去された形状で、上記下層ラベル用の上記ラベル基材により構成されることを特徴とする薬剤管理用多層ラベル。
【発明の詳細な説明】
【０００１】
【発明の属する技術分野】
この発明は、医薬品である薬剤の内容を表示するために、薬剤の容器や包装その他の医療関連部材等に付される薬剤管理用多層ラベルに関する。
【０００２】
【従来の技術】
従来、医薬品、健康食品、化粧品等の容器または包装には、商品名が直接印刷されているものや、紙、合成紙、プラスティック等の表面に印刷されていて、裏面に粘着剤が塗布されたラベルが貼付されているものが用いられている。
【０００３】
それら従来のラベル等を用いた表示は、そのラベルが貼付された容器または包装材に入った商品の識別を目的としている。しかしながら、特に、医療現場で使用される薬剤の場合には、単に薬剤の商品としての識別以外に、その薬剤を注射器、または点滴の灌注器に入れたりして使用した場合の内容表示が必要となる場合が多い。従来、このような場合の薬剤の識別には、単に担当者の記憶に頼ったり、薬剤名を手書きで記載したメモ用紙を注射器や灌注器に貼付したりしていた程度であった。さらに、薬剤等の内容をカルテに記載して使用履歴の表示が必要となる場合があるが、その場合も医師が手書きで薬剤等の内容をカルテに記載することで、薬剤管理をしていた。
【０００４】
【発明が解決しようとする課題】
上記従来の技術の場合、医師や看護婦等の医療従事者による薬剤管理において、記憶違いや薬剤名の記載間違い、記載されたメモ用紙の貼り間違い、メモ用紙の脱落、およびカルテ等の記載間違いなどの人為的なミスによる医療事故の危険性が問題となっている。
【０００５】
そこで、本願出願人は、薬剤管理用の同一内容の表示が成された多層ラベルを提案したが、多層ラベルの上層ラベルを剥離する際に、上層ラベルと下層ラベルが互いに粘着し、綺麗に上層ラベルのみを簡単且つ綺麗に剥離しづらいと言う問題がある。また、ラベル製造時には、下層ラベルの粘着層を覆うために剥離シートを必要とし、商品への貼付においては、剥離シートの剥離工程により高速にラベルを貼ることができないと言う問題があった。
【０００６】
この発明は、上記従来の技術の問題点に鑑みてなされたもので、信頼性が高い薬剤管理が可能となり、さらに、ラベルの貼り付けや剥離等の取り扱いが容易で、医師や看護婦等の医療従事者の負担を減らすことができる薬剤管理用多層ラベルを提供することを目的とする。
【０００７】
【課題を解決するための手段】
この発明は、医薬品の薬剤容器あるいは包装に貼着する紙、合成紙、または透明樹脂等のラベルであって、表面側に位置した上層ラベルと、この上層ラベルの下に積層された下層ラベルとを備え、上記上層ラベルと上記下層ラベルは、薬剤名が記載された薄いシート状のラベル基材から成り、上記上層ラベルのラベル基材と上記下層ラベルのラベル基材は等しい形状に形成され、上記上層ラベルの上記ラベル基材の下面には全面に粘着層が形成され、上記各ラベル基材には、剥離する際に指をかけるつまみ部が形成され、上記下層ラベル用のラベル基材には、上記つまみ部と上記下層ラベルとなる部分とを区切る切り込みが形成され、上記下層ラベル用のラベル基材の、上記下層ラベルとなる部分の表面側には剥離層が形成されているとともに、裏面側には粘着層が形成され、上記つまみ部となる部分の表裏には剥離層及び粘着層が形成されず、上記下層ラベル用のラベル基材の上記つまみ部となる部分の表面が、上記上層ラベルの上記つまみ部の上記粘着層に付着し、上記上層ラベルを剥離する際に、上記上層ラベルの上記つまみ部とともに上記下層ラベル用のラベル基材の上記つまみ部が保持されて、上記上層ラベルとともに剥離され、上記下層ラベルは、上記つまみ部の上記ラベル基材が上記切り込みで分離除去された形状で、上記下層ラベル用の上記ラベル基材により構成される薬剤管理用多層ラベルである。
【０００８】
上記上層ラベルまたは下層ラベルのラベル基材を、透明なフィルム等の材料により形成しても良い。これにより各層のラベルを貼り合わせた後も、ラベルの印刷内容を目視や機械で読み取り可能とすることができる。
【０００９】
【発明の実施の形態】
以下、この発明の実施の形態について、図面に基づいて説明する。図１〜図３は、この発明に用いられる薬剤管理用多層ラベルを示す。この実施形態では代表的な層構成として二層のラベルからなり、この薬剤管理用多層ラベル１０は、上側から上層ラベル１４、下層ラベル１６、及び下層ラベル１６の下側のシート材である剥離シート１８とから成る。
【００１０】
上層ラベル１４は、紙、合成紙または透明樹脂フィルム等のラベル基材２０と、このラベル基材１４の表面に設けられバーコードその他の表示が印刷されている薬剤名記載部２２と、ラベル基材１４の裏面に粘着剤を塗布または印刷してなる粘着層２４とを備える。
【００１１】
下層ラベル１６は、紙、合成紙または透明樹脂フィルム等のラベル基材２０と、このラベル基材２０の上面に形成され、上層ラベル１４の薬剤名記載部２２等の表示とほぼ同じ内容の薬剤名記載部２６と、この薬剤名記載部２６の上面側に設けられ剥離剤が塗布または印刷された剥離層２８とを備える。さらに、ラベル基材２０の下面には、粘着剤が塗布されて形成された粘着層２４を有する。なお、薬剤名記載部２２，２６の位置や内容は適宜設定可能なものであり、各々異なるものが各ラベル１４，１６に印刷されていても良い。下層ラベル１６の下層に位置した剥離シート１８は、透明樹脂シートの表面に剥離剤が塗布または印刷されたものである。
【００１２】
上層ラベル１４の図面において左側の角隅部には、指掛け用の突部３０が形成されている。突部３０は、下層ラベル１６の側縁部よりも突出した形状に形成され、この突部３０の裏面側には、下層ラベル１６が位置していない。
【００１３】
次に、この実施形態の薬剤管理用多層ラベル１０の使用方法について説明する。剥離シート１８に設けられた各ラベル１４，１６は、例えば先ず、薬剤の入ったアンプル等の容器に、この薬剤管理用多層ラベル１０の下層ラベル１６が、上層ラベル１４とともに粘着層２４により貼り付けられる。そして、容器の薬剤を注射器等に移し替える前または後に、容器に貼られている薬剤管理用多層ラベル１０の上層ラベル１４を、容器から剥がして、容器の薬剤を移した注射器等の表面に貼り付ける。また、他の例としては、上層ラベル１４を容器から剥がしてカルテ等の表面に貼り付け、使用薬剤の記録としても良い。なお、この実施形態の薬剤管理用多層ラベル１０は、図示しない大形の剥離紙１８上に縦横に複数の薬剤管理用多層ラベル１０が貼り付けられているものである。
【００１４】
この薬剤管理用多層ラベル１０によれば、使用した薬剤を、注射器やカルテにおいて、薬剤容器と１対１に対応させて表示可能とし、確実な薬剤管理を可能とする。また、剥離シート１８やラベル基材２０を透明な材料にすることにより、各ラベル１４，１６の印刷内容や印刷状態、または表示内容を容易に外側から目視あるいはビデオカメラ等の機械で読み取って確認することができ、特に医薬品のラベルでは厳格な品質管理が要求されるが、出荷受け入れ段階で印刷品質の状態を正確に認識することができ、医薬品において、より確実な品質管理を可能とする。
【００１５】
次に、この発明の実施形態の薬剤管理用多層ラベル４０について、図４〜図６を基にして説明する。ここで上記実施形態と同様の部材は同一符号を付して説明を省略する。この実施形態の上層ラベル１４のラベル基材２０と下層ラベル１６のラベル基材２０とは等しい大きさに形成され、下層ラベル１６の一隅部４２には、切り込み４４が形成され、切り込み４４より外側縁部側の裏面側には、粘着層２４が形成されておらず、表面側には、剥離層２８が形成されていない。これにより、一隅部４２の三角片は上層ラベル１４の粘着層２４に強固に付着し、剥離時に、一隅部４２の三角片の分だけ、下層ラベル１６が上層ラベル１４よりも小さいものとなって残る。
【００１６】
この実施形態の薬剤管理用多層ラベル１０によれば、上層ラベル１４をめくる際に、切り込み４４が形成された一隅部４２がつまむためのつまみ部となり、剥離紙１８にも粘着しておらず、図６に示すように容易につまむことができ、この一隅部４２及びその表面側の上層ラベル１４の角部とともに指や機械で保持して、容易に上層ラベル１４をめくることができる。
【００１７】
次に、その他の実施形態の薬剤管理用多層ラベル５０について、図７を基にして説明する。ここで上記実施形態と同様の部材は同一符号を付して説明を省略する。この実施形態の薬剤管理用多層ラベル５０は、下層ラベル５６の裏面側には粘着層が形成されていない。この薬剤管理用多層ラベル５０は、代表的な層構成として二層のラベルからなり、上側から上層ラベル５４と、下層ラベル５６とから成る。上層ラベル５４は、紙、合成紙、または透明樹脂フィルム等のラベル基材２０と、このラベル基材５４の表面に設けられバーコードその他の表示が印刷されている印刷インキ層５２による薬剤名記載部２２と、ラベル基材５４の裏面に粘着剤を塗布または印刷してなる粘着層２４とを備える。
【００１８】
下層ラベル５６は、紙、合成紙または透明樹脂フィルム等のラベル基材２０と、このラベル基材２０の上面に形成され、上層ラベル５４の薬剤名記載部２２等の表示とほぼ同じ内容が印刷インキ層５２により形成された薬剤名記載部２６と、この薬剤名記載部２６の上面側に設けられ剥離剤が塗布または印刷された剥離層２８とを備える。
【００１９】
次に、この実施形態の薬剤管理用多層ラベル５０の使用方法について説明する。薬剤管理用多層ラベル５０は、各ラベル５４，５６が積層された状態で、例えば、薬剤の入ったアンプル等の容器に、下層ラベル５６のラベル基材２０側の面が貼り付けられる。貼り付け方法は、図示しない糊付け機により下層ラベル５６のラベル基材２０の裏面に糊付けし、自動機により容器の表面に直接貼り付ける。そして、容器の薬剤を注射器等に移し替える前または後に、容器に貼られている薬剤管理用多層ラベル５０の上層ラベル５４を、容器から剥がして、容器の薬剤を移した注射器等の表面に貼り付ける。
【００２０】
この実施形態の薬剤管理用多層ラベル５０は、容器に貼り付けるに際して、自動機械により直接糊を付けながら高速で貼り付けが可能であり、剥離紙の剥離工程が不要であり剥離紙によるゴミもでないものである。
【００２１】
次に、さらに他の実施形態の薬剤管理用多層ラベル６０について、図８を基にして説明する。ここで上記実施形態と同様の部材は同一符号を付して説明を省略する。この実施形態の薬剤管理用多層ラベル６０は、下層ラベル５６の裏面側には、容器に貼り付けるための糊の接着性を向上させる塗料やインキを、塗布または印刷した接着性向上層５８を設けたものである。接着性向上層５８には粘着層が形成されていない。その他の構成及び使用方法は、上記実施形態の薬剤管理用多層ラベル５０と同様である。
【００２２】
この発明の薬剤管理用多層ラベル６０は、上記実施形態と同様の効果に加えて、容器に貼り付けるに際しての、自動機械による糊付けがより確実なものとなり、容器とラベル基材２０との接着力が高いものとなる。
【００２３】
次に、さらに他の実施形態の薬剤管理用多層ラベル６２について、図９を基にして説明する。ここで上記実施形態と同様の部材は同一符号を付して説明を省略する。この実施形態の薬剤管理用多層ラベル６２は、下層ラベル５６の裏面側には、熱を加えることにより接着性粘着性が現れる感熱接着剤層６４を備えたものである。従って、感熱接着剤層６４は、加熱前は接着性を有しないものであり、剥離層等を必要としない。その他の構成及び使用方法は、上記実施形態の薬剤管理用多層ラベル５０と同様である。
【００２４】
この発明の薬剤管理用多層ラベル６２は、上記実施形態と同様の効果に加えて、容器に貼り付けるに際しての、自動機械による加熱貼り付けがより容易且つ確実なものとなり、容器とラベル基材２０との貼り付けを効率よくする。
【００２５】
なお、この発明の薬剤管理用多層ラベルは、上層ラベル、下層ラベルが数分割された薬剤管理用多層ラベルであっても良く、上層ラベルと下層ラベルとの間に他の層があっても良く、任意の層の薬剤管理用多層ラベルである。
【００２６】
【発明の効果】
この発明の薬剤管理用多層ラベルは、ラベルにつまみ部が設けられ、一方のラベルがめくりやすく剥がしやすいものである。
【００２７】
そして、所定の表示が成されたラベルを複数設け、互いに同じ内容または関連付けられた内容の表示を適宜他の個所に付することができ、そのラベルを順に剥がして、所定の個所に貼り付けることにより、薬剤管理をより安全に確実に行うことができる。これにより、メモ用紙などを用いて手書きで薬剤名等を記載していた看護師等の負担を軽減することができ、医療現場で人為的なミスによる事故の危険性を抑えることが出きる。
【図面の簡単な説明】
【図１】  この発明に用いられる薬剤管理用多層ラベルの分解斜視図である。
【図２】  薬剤管理用多層ラベルの拡大縦断面図である。
【図３】  薬剤管理用多層ラベルのめくり状態の拡大縦断面図である。
【図４】  この発明の実施形態の薬剤管理用多層ラベルの分解斜視図である。
【図５】  この実施形態の薬剤管理用多層ラベルの拡大縦断面図である。
【図６】  この実施形態の薬剤管理用多層ラベルのめくり状態の拡大縦断面図である。
【図７】  他の実施形態の薬剤管理用多層ラベルの拡大縦断面図である。
【図８】  さらに他の実施形態の薬剤管理用多層ラベルの拡大縦断面図である。
【図９】  さらに他の実施形態の薬剤管理用多層ラベルの拡大縦断面図である。
【符号の説明】
１０，４０，５０，６０，６２    薬剤管理用多層ラベル
１４，５４  上層ラベル
１６，５６  下層ラベル
１８  剥離シート
２４  粘着層
２０  ラベル基材
２２，２６  薬剤名記載部
３０  突部
【図１】
0004680369.tif 000002
【図２】
0004680369.tif 000003
【図３】
0004680369.tif 000004
【図４】
0004680369.tif 000005
【図５】
0004680369.tif 000006
【図６】
0004680369.tif 000007
【図７】
0004680369.tif 000008
【図８】
0004680369.tif 000009
【図９】
0004680369.tif 000010